(57)【要約】【課題】本発明は、より簡単に製造できるヘルメットを提供する。【解決手段】正面部分１１と左右側面部分１２からなる下側基部１と頂部２と下側後部３を有する折畳みヘルメットであって、頂部２の後ろの下部と下側後部３の上部はヒンジ４に接続されており、下側基部１の左右側面部分１２の後ろの内側の各面は、略Ｌ字のガイド溝５を有し、下側後部３の左右の各側面は、下側基部１の略Ｌ字のガイド溝５に沿って移動する係合突起６を有し、下側基部１の正面部分１１と頂部２の前は係合分離可能にする結合手段７を有し、頂部２が下側基部１の左右側面部分１２の内側にある折畳みヘルメット。【選択図】図１
2020037752.tif 000002
【特許請求の範囲】
【請求項１】
正面部分（１１）と左右側面部分（１２）からなる下側基部（１）と頂部（２）と下側後部（３）を有する折畳みヘルメットであって、
頂部（２）の後ろの下部と下側後部（３）の上部はヒンジ（４）に接続されており、
下側基部（１）の左右側面部分（１２）の後ろの内側の各面は、略Ｌ字のガイド溝（５）を有し、
下側後部（３）の左右の各側面は、下側基部（１）の略Ｌ字のガイド溝（５）に沿って移動する係合突起（６）を有し、
下側基部（１）の正面部分（１１）と頂部（２）の前は係合分離可能にする結合手段（７）を有し、
頂部（２）が下側基部（１）の左右側面部分（１２）の内側にある折畳みヘルメット。
【発明の詳細な説明】
【技術分野】
【０００１】
本発明は、折畳みヘルメットに関する。
【背景技術】
【０００２】
サイクリング用途のための保護用ヘルメットは一般的に形状が半球状であり、着用しないときに保管したりバッグの中などに入れたり、持ち運びするには嵩があり扱いにくい。
【０００３】
そこで、折畳めるヘルメットが提案されている。例えば、特許６０２６４２１号には、２つ以上の構成要素を有する外殻部を含むヘルメットであって、構成要素が外殻部にわたって伸びる折畳みラインの周りでヒンジ式に接続されたヘルメットが提案されている。
【先行技術文献】
【特許文献】
【０００４】
【特許文献１】特許６０２６４２１号公報
【発明の概要】
【発明が解決しようとする課題】
【０００５】
しかし、このヘルメットはヒンジ接続部分が多く、製造に手間がかかる。本発明は、より簡単に製造できるヘルメットを提供する。
【課題を解決するための手段】
【０００６】
即ち、本発明は、正面部分１１と左右側面部分１２からなる下側基部１と頂部２と下側後部３を有する折畳みヘルメットであって、頂部２の後ろの下部と下側後部３の上部はヒンジ４に接続されており、下側基部１の左右側面部分１２の後ろの内側の各面は、略Ｌ字のガイド溝５を有し、下側後部３の左右の各側面は、下側基部１の略Ｌ字のガイド溝５に沿って移動する係合突起６を有し、下側基部１の正面部分１１と頂部２の前は係合分離可能にする結合手段７を有し、頂部２が下側基部１の左右側面部分１２の内側にある折畳みヘルメットである。
【０００７】
下側基部１と頂部２と下側後部３は、ポリカーボネート樹脂やＡＢＳ樹脂のような硬質の合成樹脂また衝撃を吸収するための発泡スチロールのような軟質の合成樹脂からのみなっていてもいいし、硬質の合成樹脂の内側に衝撃を吸収するための発泡スチロールのような軟質の合成樹脂であってもいい。
頂部２が、正面部分１１又は下側後部３が当接する部分には、嵌め合せのための凹凸があってもいい。
【０００８】
結合手段７は、正面部分１１と頂部２を係合分離可能にできるものであればよく、公知のものが適宜使用されていい。
例えば、図５に示すように差込式のバックル式でもいい。頂部２の正面部分１１の下面に下向きに雄の係合部７１がついており、下側基部１の正面部分１１の頂側の上面に雌の係合部７２が係合部７１に対向してついている。雄の係合部７１のサイドの両側を指で押すと係合がはずれる。
【０００９】
また、図６に示すレバー式のものでもいい。下側基部１に取り付けられた台座７３と、台座７３のピン７４を中心に回動自在なレバー７５と、レバー７５に設けられかつピン７６を中心に回動自在な継手７７と、継手７７に連結するフック７８とフック７８を係合する、頂部２に取り付けられた係合部７９とからなる。レバー７５が矢印Ａ方向に移動すると係合状態が解除される。
【００１０】
また、図７に示すフック式のものでもいい。頂部２の側面の一部が下に出張った出っ張り部分７１０を有し、その先端が下に鋭角を有する三角状突起７１１となっている。下側基部１の側面の一部は出っ張り部分７１０に対応し、内側にへこんだへこみ部７１２を有する。へこみ部７１２には、三角状突起７１１がひっかかる孔７１３があり、これにより、下側基部１と頂部２は係合される。係合を解除する場合は、内側から三角状突起７１１を押し出すか、あるいは外側から三角状突起７１１を引き上げればいい。
【発明の効果】
【００１１】
本発明の折畳みヘルメットであれば、簡単に製造できる。
【図面の簡単な説明】
【００１２】
【図１】図１は、折畳みヘルメットの組立て状態の斜視図である。
【図１Ａ】図１Ａは、折畳みヘルメットの組立て状態の左右方向の中央を前後方向に切った断面図である。
【図２】図２は、折畳みヘルメットを折畳む途中の斜視図である。
【図２Ａ】図２Ａは、折畳みヘルメットを折畳む途中の左右方向の中央を前後方向に切った断面図である。
【図３】図３は、図２よりさらに折畳みが進んだ状態の折畳みヘルメットの斜視図である。
【図３Ａ】図３Ａは、図２Ａよりさらに折畳みが進んだ状態の折畳みヘルメットの左右方向の中央を前後方向に切った断面図である。
【図４】図４は、折畳みが完了した状態の折畳みヘルメットの斜視図である。
【図４Ａ】図４Ａは、折畳みが完了した状態の折畳みヘルメットの左右方向の中央を前後方向に切った断面図である。
【図５】図５は、結合手段７の一例である。
【図６】図６は、結合手段７の別の例である。
【図７】図７は、結合手段７のさらに別の例である。
【図８】図８は、図１Ａの矢印の部分を水平に切った断面図で下側基部１の左右側面部分１２と下側後部３の接続部分を示している。
【発明を実施するための形態】
【００１３】
以下、図面を参照しながら、本発明について説明する。
【００１４】
図１は、折畳みヘルメットの組立て状態の斜視図である。図１Ａは、折畳みヘルメットの組立て状態の左右方向の中央を前後方向に切った断面図である。図８は、図１Ａの矢印の部分を水平に切った断面図で下側基部１の左右側面部分１２と下側後部３の接続部分を示している。
折畳みヘルメットは、下側基部１と頂部２と下側後部３を有している。
下側基部１は、ヘルメットを高さ方向で上下に水平に２分割した下側の部分で、正面部分１１と左右側面部分１２からなっている。また、下側後部３は、後ろの下側部分で、頂部２は、上側部分である。分割の位置は、適宜決めうるが、コンパクトに折畳むためには、中央付近が好ましい。
【００１５】
頂部２は、折畳みのため、下側基部１の左右側面部分１２の内側に配置されている。そのため、頂部２の側面と下側基部１の左右側面部分１２の間に隙間８が生じる。
下側基部１の正面部分１１と頂部２の前は係合分離可能な結合手段７により、接続された状態になっている。
下側基部１の左右側面部分１２の後ろの内側の各面は、略Ｌ字のガイド溝５を有している。
略Ｌ字のガイド溝５の形は、折畳みの際に係合突起６が略Ｌ字のガイド溝５に沿って移動するように、下側後部３の外殻面に沿うような円弧状の縦溝になっていて下端で正面部方向に折れ曲がった溝になっている。
【００１６】
下側後部３の左右の各側面は、係合突起６を有していて、折畳みヘルメットが折畳まれるとき、あるいは組み立てられるとき、下側基部１のＬ字のガイド溝５に沿って移動する。
図１の組立て状態では、係合突起６は、略Ｌ字のガイド溝５の縦溝の一番上のところに位置している。
頂部２の後ろの下部と下側後部３の上部は、ヒンジ４により接続されている。接続の箇所は、左右の端２箇所で接続されるのが好ましい。例えば、本実施態様の図１Ａでは、頂部２の後ろの下向き面の左右端２箇所とそれに接している下側後部３の上向き面の左右端の２箇所がヒンジで接続されている。また、頂部２の後ろの内側面の下部の左右端とそれに対応する下側後部３の内側面の上部の左右端がヒンジ接続されてもいい。そのヒンジの軸長さは、頂部２の後ろ下向き面の内側辺とそれに対応する下側後部３の上向き面の内側辺の湾曲の度合いにより適宜決めうる。
【００１７】
図２は、折畳む途中の斜視図である。図２Ａは、折畳みヘルメットを折畳む途中の左右方向の中央を前後方向に切った断面図である。
下側基部１の正面部分１１と頂部２の前の係合がはずれ、頂部２の前が上後方に移動している。また、下側後部３の係合突起６が下側基部１の略Ｌ字のガイド溝５の縦溝の一番上から下方向に移動するとともに、頂部２の後ろの下向き面と下側後部３の上向き面を繋いでいるヒンジ４により下側後部３の下部分がヘルメットの内側に少し、倒れた状態になっている。
【００１８】
図３は、図２よりさらに折畳みが進んだ状態の折畳みヘルメットの斜視図である。図３Ａは、図２Ａよりさらに折畳みが進んだ状態の折畳みヘルメットの左右方向の中央を前後方向に切った断面図である。
下側後部３の係合突起６は、略Ｌのガイド溝５の縦溝の一番下に移動し、下側後部３は、完全に倒れて、横状態になっている。
【００１９】
図４は、折畳みが完了した状態の折畳みヘルメットの斜視図である。図４Ａは、折畳みが完了した状態の折畳みヘルメットの左右方向の中央を前後方向に切った断面図である。
下側後部３の係合突起６は、略Ｌのガイド溝５の縦溝の一番下で横溝と交わった図３の位置から横溝の一番前の位置に移動し、その移動とともに、横状態になっていた下側後部３が内側にさらに折れ、頂部２の内側に接し、下側後部３と頂部２がヘルメットの前側に移動し、頂部２と下側基部１の正面部分１１の間にあったすきまが縮み、折畳みが完了した状態になっている。
【符号の説明】
【００２０】
１  下側基部
１１  正面部分
１２  左右側面部分
２  頂部
３  下側後部
４  ヒンジ
５  略Ｌ字のガイド溝
６  係合突起
７  結合手段
７１  雄の係合部
７２  雌の係合部
７３  台座
７４  ピン
７５  レバー
７６  ピン
７７  継手
７８  フック
７９  係合部
７１０  出っ張り部分
７１１  三角状突起
７１２  へこみ部
７１３  孔
８  隙間
【図１】
2020037752.tif 000003
【図１Ａ】
2020037752.tif 000004
【図２】
2020037752.tif 000005
【図２Ａ】
2020037752.tif 000006
【図３】
2020037752.tif 000007
【図３Ａ】
2020037752.tif 000008
【図４】
2020037752.tif 000009
【図４Ａ】
2020037752.tif 000010
【図５】
2020037752.tif 000011
【図６】
2020037752.tif 000012
【図７】
2020037752.tif 000013
【図８】
2020037752.tif 000014